(57)【特許請求の範囲】
【請求項１】
開口周辺をフランジ部とし当該フランジ部の下側に先端部側を内方へ張り出して縦割れした脚片を設けてなるクリップ体と、前記開口に挿入可能な太さの軸部を有するピン体からなる一対の留具と、
面内に前記両留具のクリップ体の脚片を差し込み可能な通孔が形成された、化学・合成繊維を素材として成形された合成樹脂加工布からなる帯状の継手片とを備え、
連結すべき部材に形成された取付孔に通孔を重ね合わせて継手片を部材間に架け渡し、重なり合った両孔にクリップ体の脚片を貫通させるとともにクリップ体の開口にピン体の軸部を差し込み、軸部周面で押し広げられて開脚拡径した脚片を部材の取付孔に係合させることにより継手片が部材に留め付けられるように構成された連結具。
【発明の詳細な説明】
【技術分野】
【０００１】
本発明は、プールの底に設置されるプール用床同士の連結や、その他の隣接設置される部材同士を一体に連結するために用いられるプラスチック製の連結具に関する。
【背景技術】
【０００２】
端面同士を突き合わせて配置した二つの部材を連結する連結具として、図７に示されるように、板状の連結部１００の一側にクリップ部１０１ａとピン部１０１ｂを備えてなる結合体１０１を一体に成形し、連結部１００の他側に同じくクリップ部１０１ａとピン部１０１ｂからなる結合体１０１を一体に装着した構成のものが知られている。
この連結具は、連結すべき部材１０２、１０２にそれぞれ設けた取付孔１０２ａにクリップ部１０１ａを嵌め入れ、クリップ部１０１ａに設けた開口部内にピン部１０１ｂをそれぞれ差し込み、クリップ部１０１ａの取付孔１０２ａの下方に突出した部分の外径を広げて取付孔１０２ａに係合させることにより、部材１０２、１０２同士を連結するものである（例えば特許文献１参照）。
【０００３】
図示した連結具は、連結部１００とクリップ部１０１ａが平板状に一体成形されているため、連結具で連結された部材が端面に沿ってズレたり段差ができたりした場合に、ピン部１０１ｂがクリップ部１０１ａから外れたり、連結部１００や結合体１０１、１０１が変形し或いは破損したりすることがあった。また、例えばプール用床同士の接続に用いた場合に、人が床面上で飛び跳ねたり床面を蹴ったりしたときに床面に加わる衝撃が連結具に伝わって、ピン部１０１ｂが抜けたり連結部１００が割れたりすることもあった。
このような問題を解決するため、図８に示されるように、板状の連結部１００に代えて可撓性を有する湾曲した連結部１００、１００でクリップ部１０１ａ、１０１ａ同士を一体に接続し、当初の連結位置から部材１０２、１０２がズレたり段差ができたりした場合でも、湾曲した連結部１００、１００が撓んで両部材の変位を吸収することで連結具に偏荷重がかかることを防ぎ、部材同士の連結を維持する構成のものが利用されている（例えば特許文献２参照）。
【０００４】
【特許文献１】実公平５−４７２８７号公報
【特許文献２】特開２００４−２９３６２６号公報
【発明の開示】
【発明が解決しようとする課題】
【０００５】
湾曲した連結部１００、１００でクリップ部１０１ａ、１０１ａを接続した構成のものは、部材１０２、１０２同士の小さなズレや段差は吸収可能であるが、連結位置から大きく変位したときにはこれを吸収することができず、結合体１０１が部材１０２から外れたり破損したりすることは避けられない。また、連結部１００が撓んだ際にクリップ部１０１ａとの接続部分に応力がかかり、当該接続部分が割れ易い。
また、従来の連結具は一体成形品であるため、結合体１０１、１０１を取り付ける部材１０２、１０２の取付孔１０２ａ、１０２ａの形成位置も連結具に対応させて一定の間隔に設ける必要があり、また、連結する部材１０２、１０２の上面が同じ面に揃っていなければ取り付けることができない。このように、連結すべき部材の形状や連結具の取り付け位置、取り付け角度などが限定されることから、従来のものは様々な部材の連結や固定に汎用することができなかった。
【０００６】
本発明は従来技術の有するこのような問題点に鑑み、部材の連結に用いられるプラスチック製の連結具において、部材連結後に部材の位置がズレたり連結部分に衝撃が加わったりしても連結状態を良好に維持することができ、また、取付け位置や角度の異なる部材同士の連結にも利用できるようにすることを課題とする。
【課題を解決するための手段】
【０００７】
前記課題を解決するため本発明の連結具は、開口周辺をフランジ部とし当該フランジ部の下側に先端部側を内方へ張り出して縦割れした脚片を設けてなるクリップ体と、前記開口に挿入可能な太さの軸部を有するピン体からなる一対の留具と、面内に前記両留具のクリップ体の脚片を差し込み可能な通孔が形成された、化学・合成繊維を素材として成形された合成樹脂加工布からなる帯状の継手片とを備えてなり、連結すべき部材に形成された取付孔に通孔を重ね合わせて継手片を部材間に架け渡し、重なり合った両孔にクリップ体の脚片を貫通させるとともにクリップ体の開口にピン体の軸部を差し込み、軸部周面で押し広げられて開脚拡径した脚片を部材の取付孔に係合させることにより継手片が部材に留め付けられるように構成されたことを特徴とする。
【０００８】
本発明の連結具によれば、端面を突き合わせて隣接配置した部材間に継手片を架け渡し、継手片の部材に重合した部分を留具で留め付けることにより、継手片を介して両部材が一体に連結される。可撓性を有する帯状の継手片は、柔軟で屈曲性に富んでおり、連結した部材の位置がズレたり連結部分に衝撃が加わったりしても、ズレに応じて継手片が適度に撓み屈曲してこれを吸収し、部材に留め付けた留具に大きな偏荷重がかからないのでズレや段差が生じても外れ難く、また、留具が割れるなどの破損を生じ難く、留具を部材に安定的に固定せしめて連結状態を良好に維持することができる。
【０００９】
連結具を構成するクリップ体、ピン体及び継手片の各部材は、塩化ビニル樹脂やポリプロピレン、ポリエチレン、ＰＶＣなどの合成樹脂材料、或いはゴム分を含む樹脂などにより成形することができる。とりわけ、水中で連結が外れたときに部材が浮いて回収が容易なように、水よりも比重の軽いポリプロピレンやポリエチレンなどの樹脂材料を用いて成形するのが好ましい。
継手片は、柔軟で耐衝撃性や耐屈曲性に優れ、且つ破断・破裂強度が大きく強靭な性状のものが好適に用いられ、前記各樹脂を用いて薄肉に成形する他に、例えばナイロンなどの化学・合成繊維を素材して成形された合成樹脂加工布を用いてもよい。継手片の加工寸法は、連結すべき部材に応じ、必要とされる強度や許容される屈曲度合いなどによって適宜な長さ、幅及び厚みに設定される。また、留具を構成するクリップ体とピン体は、両体の結合により継手片を部材に留め付けて部材に一体的に固定でき且つ固定状態を維持するように機能する適宜な形態に設けることができる。
【発明を実施するための最良の形態】
【００１０】
本発明の好適な実施形態を図面を参照して説明する。
図１は本発明の連結具の一実施形態の外観図、図２は留具を構成するクリップ体の断面図、図３は同じくピン体のフランジ部片半面部を引き起こした状態の外観図と断面図、図４は連結具で部材を連結するときの操作の過程を示した図、図５は部材同士を連結した状態の断面図、図６は連結具の他の実施形態における部材を連結したときの組み付け図であり、図中、符号１は連結具、２は留具、３はクリップ体、４はピン体、５は継手片、６は連結すべき部材をそれぞれ示している。
【００１１】
図１に示されるように、本発明の連結具１は、クリップ体３及びピン体４からなる一対の留具２、２と、帯状の継手片５とから構成されている。
【００１２】
より詳しくは、留具２を構成するクリップ体３は、その中央に開口３１を備えており、開口３１の上部周辺に平面視略半円形状にフランジ部３２を張り出し、フランジ部３２の下側に、開口３１に沿って環状に突出していてスリットにより縦に四分割された脚片３３を一体に設けて形成してある。
図２に示されるように、各脚片３３は、その先端部側を付け根部よりも厚肉とし且つ内側面を内方へ膨出させて開口径を小さくしてあり、ピン体４を開口３１内に挿入するのに伴い、ピン体４の軸部４２の外周面に各脚片３３の下部内周面が当接して各々側方に開脚し、脚片３３の外径が拡大するようになっている。また、フランジ部３２の上面縁部には、後述するピン体４のフランジ部４１の片半面部を摘んで引き起こすための凹部３２ａを形成してある。
【００１３】
留具２を構成するピン体４は、その頂部に前記クリップ体３のフランジ部３２に重ねり合わさる平面視略半円形のフランジ部４１を備え、フランジ部４１の下面中央に、前記クリップ体３の開口３２に略一杯に挿入する太さの軸部４２を一体に突出させて形成してある。軸部４２は、その下部外周に前記脚片３４の内周面が係合するネジ溝４２ａが形成してあり、その下端部は先細り状としてある。
また、図３に示されるように、フランジ部４１の湾曲した側の片半面部は、側部から水平に切れ目を入れて上半部４１ａと下半部４１ｂに二分され、且つヒンジ部４１ｃで上半部４１ａが起立及び倒伏自在に設けてあり、クリップ体３に嵌め入れたピン体４を、フランジ部４１の面上に垂直に起立させた上半部４１ａを摘んで抜き取ることができるようになっている。また、上半部４１ａと下半部４１ｂの周縁部は互いに逆テーパ状に形成されており、上半部４１ａを倒して下半部４１ｂ上に重ねた状態で両部の周縁部が係合して上半部４１ａが下半部４１ｂ上に固定されるようになっている。
【００１４】
継手片５は、ナイロンなどの合成樹脂加工布やポリプロピレンなどを用いて薄肉帯状に成形した樹脂成形品を用い、連結すべき部材６、６の上面間に架け渡すことのできる長さを有する帯状に形成されており、その面内にはクリップ体３、３の脚片３３、３３が差し込まれる通孔５１、５１を形成してある。通孔５１、５１の形成位置は、部材６、６間に継手片５を架け渡したときに、部材６に形成された取付孔６１に通孔５１が重なり合う位置に設定してある。
【００１５】
本発明の連結具１を用いた部材６、６の連結は、図４に示されるように、先ず、端面を突き合わせて隣接配置した連結すべき部材６、６の上面に継手片５を架け渡し、部材６、６に形成された取付孔６１、６１に継手片５の通孔５１、５１を重ね合わせた状態で、両孔にそれぞれクリップ体３、３の脚片３３、３３を差し込んで貫通させる（同図（Ａ））。
次いで、クリップ体３、３の開口３１、３１にピン体４、４の軸部４２、４２を差し込めば（同図（Ｂ））、軸部４２でクリップ体３の分割した脚片３３が押し広げられて開脚し、脚片３３の外径が拡大するとともに脚片３３の内周面が軸部４２の外周面のネジ溝４２ａに係止し、開脚拡径した脚片３３が取付孔６１の下部周辺に係合して留具２が取付孔６１内に固定される（同図（Ｃ））。
そして、継手片５がクリップ体３のフランジ部３２と部材６との間に挟まれて部材６、６間に留め付き、留め付いた継手片５を介して部材６、６が一体に連結される（図５参照）。
連結具１で部材６、６を連結した状態で、部材６、６の位置が端面に沿ってズレたり段差が生じたりしても、可撓性を有する継手片５が部材６の変位に応じて適度に撓み屈曲するので留具２、２が部材６、６から外れ難く、また、留具２、２が割れるなどの破損も生じ難く、留具２、２を部材６、６に確実に固定せしめて連結状態を良好に維持することができる。
また、部材６、６同士の連結を解除するために連結具１を取り外す操作は、ピン体４のフランジ部４１の片半面である上半部４１ａを上方に引き起こし、これを摘んで上方に引き上げれば、クリップ体３からピン体４を抜き取ることができ、両ピン体４、４を抜き取った後、クリップ体３、３を取付孔６１、６１から取り外せば部材６、６を分離することができる。
【００１６】
本発明の連結具１において、留具２を構成するクリップ体３とピン体４は、両体の結合により継手片５を部材６に留め付けて部材６に一体的に固定することが可能な適宜な形態に設けることができる。例えば図６に示されるように、両体のフランジ部３２、４１の外形を略十字形（同図（Ａ））や、楕円形（同図（Ｂ））、矩形（同図（Ｃ））などに形成してもよく、また、一対の留具２、２は必ずしも同一形態のものを用いる必要はない。
本発明の連結具１は、隣接配置した部材６、６の略面一な上面に取り付ける他に、例えば同図（Ｄ）に示されるような部材６、６同士で互いに交差する面内や、同図（Ｅ）に示されるような平行な面内に取り付けることができ、角度の異なる面同士を継手片５で連結し一体化してもよい。
さらに、同図（Ｅ）に示されるように、予め継手片５の面内にクリップ体３を差し込む通孔５１を所定の間隔を開けて２個以上形成しておき、連結すべき部材６、６の取付孔６１、６１間の寸法に応じて、クリップ体３を差し込む通孔５１を選定するようにしてもよい。
【００１７】
なお、図示したクリップ体やピン体、継手片の形態と、その連結操作の工程は一例であり、本発明は図示した形態に限定されず、他の適宜な形態で構成し、任意の操作手順で部材に取り付けることが可能である。
【図面の簡単な説明】
【００１８】
【図１】本発明の連結具の一実施形態の外観図である。
【図２】留具を構成するクリップ体の断面図である。
【図３】同じくピン体のフランジ部片半面部を引き起こした状態の外観図（Ａ）と断面図（Ｂ）である。
【図４】連結具で部材を連結するときの操作の過程を示した図である。
【図５】図１の連結具で部材同士を連結した状態の断面図である。
【図６】（Ａ）〜（Ｅ）は連結具の他の実施形態における部材を連結したときの組み付け図である。
【図７】従来の連結具の一例の構成を要部を破断して示した外観図である。
【図８】従来の連結具の他の例の外観図である。
【符号の説明】
【００１９】
１  連結具、２  留具、３  クリップ体、４  ピン体、５  継手片、６  部材
【図１】
0004638305.tif 000002
【図２】
0004638305.tif 000003
【図３】
0004638305.tif 000004
【図４】
0004638305.tif 000005
【図５】
0004638305.tif 000006
【図６】
0004638305.tif 000007
【図７】
0004638305.tif 000008
【図８】
0004638305.tif 000009